(57)【要約】【課題】  補正対象音声の冒頭部の過大補正を防止することができる「音声補正装置」を提供すること。【解決手段】  音声補正装置１００は、案内音声を出力するスピーカ６２と、聴取位置に設置されたマイクロホン６４と、聴取位置に対応する案内音声と周辺騒音を分離する音響特性設定部４０、演算部５０と、分離された案内音声の平均パワーの値と周辺騒音の平均パワーの値とに基づいて、スピーカ６２から出力される案内音声の音圧レベルを補正する音声補正用フィルタ２０、ラウドネス補償ゲイン算出部３０と、案内音声が無音状態から有音状態に変化した音声冒頭部に対応する案内音声の平均パワーの値を補正する音声冒頭部補正部９０とを備えている。【選択図】        図１
2005027273.tif 000002
【特許請求の範囲】
【請求項１】
補正対象音声を出力するスピーカと、
聴取位置に設置されたマイクロホンと、
前記聴取位置に対応する前記補正対象音声と周辺騒音を分離する信号分離手段と、
前記信号分離手段によって分離された前記補正対象音声の平均パワーの値と前記周辺騒音の平均パワーの値とに基づいて、前記スピーカから出力される前記補正対象音声の音圧レベルを補正する音声補正手段と、
前記補正対象音声が無音状態から有音状態に変化した音声冒頭部に対応する前記補正対象音声の平均パワーの値を補正する音声冒頭部補正手段と、
を備えることを特徴とする音声補正装置。
【請求項２】
請求項１において、
前記補正対象音声の平均パワーの値を算出する時間長Ｌｓは、前記周辺騒音の平均パワーの値を算出する時間長Ｌｎよりも長いことを特徴とする音声補正装置。
【請求項３】
請求項２において、
前記音声冒頭部補正手段は、前記音声冒頭部に対応して無音状態から有音状態に変化した直後の時間Ｌｎについては、前記補正対象音声の平均パワーの値をＬｓ／Ｌｎ倍することを特徴とする音声補正装置。
【請求項４】
請求項３において、
前記音声冒頭部補正手段は、前記音声冒頭部に対応して無音状態から有音状態に変化した時点を基準にして時間Ｌｎが経過してから時間Ｌｓが経過するまでは、前記補正対象音声の平均パワーの値の補正量を連続的に減少させることを特徴とする音声補正装置。
【請求項５】
補正対象音声を出力するスピーカと、
聴取位置に設置されたマイクロホンと、
前記聴取位置に対応する前記補正対象音声と周辺騒音を分離する信号分離手段と、
前記信号分離手段によって分離された前記補正対象音声の平均パワーの値と前記周辺騒音の平均パワーの値とに基づいて、前記スピーカから出力される前記補正対象音声の音圧レベルを補正する音声補正手段と、
前記補正対象音声が無音状態から有音状態に変化した音声冒頭部に対応して行われる前記音声補正手段による音声レベルの補正処理を停止する音声冒頭部補正手段と、
を備えることを特徴とする音声補正装置。
【請求項６】
請求項５において、
前記補正対象音声の平均パワーの値を算出する時間長Ｌｓは、前記周辺騒音の平均パワーの値を算出する時間長Ｌｎよりも長いことを特徴とする音声補正装置。
【請求項７】
請求項１〜６において、
前記信号分離手段は、
前記スピーカから前記マイクロホンまでの音響系のインパルス応答としての音響特性を有するフィルタと、
前記スピーカから前記補正対象音声が出力されたときに前記マイクロホンから出力される信号から、前記補正対象音声に対応して前記スピーカに入力される信号を前記フィルタに通した後の信号を差し引く演算手段と、
を備え、前記フィルタから前記補正対象音声に相当する信号を出力し、前記演算手段から前記周辺騒音に相当する信号を出力することを特徴とする音声補正装置。
【請求項８】
請求項７において、
前記フィルタの音響特性を同定する同定手段をさらに備えることを特徴とする音声補正装置。
【請求項９】
請求項８において、
前記同定手段は、前記演算手段から出力される信号のパワーが最小になるように前記フィルタのフィルタ係数を更新する係数更新手段であり、
前記係数更新手段によって更新される前記フィルタ係数の初期値を０以外の値に設定するフィルタ初期設定手段をさらに備えることを特徴とする音声補正装置。
【請求項１０】
補正対象音声を出力するスピーカと、
聴取位置に設置されたマイクロホンと、
前記スピーカから前記マイクロホンまでの音響系のインパルス応答としての音響特性を有するフィルタと、前記スピーカから前記補正対象音声が出力されたときに前記マイクロホンから出力される信号から前記補正対象音声に対応して前記スピーカに入力される信号を前記フィルタに通した後の信号を差し引く演算手段とを有し、前記フィルタから前記補正対象音声に相当する信号を出力するとともに前記演算手段から前記周辺騒音に相当する信号を出力して前記聴取位置に対応する前記補正対象音声と前記周辺騒音を分離する信号分離手段と、
前記演算手段から出力される信号のパワーが最小になるように前記フィルタのフィルタ係数を更新する係数更新手段と、
前記係数更新手段によって更新される前記フィルタ係数の初期値を０以外の値に設定するフィルタ初期設定手段と、
前記信号分離手段によって分離された前記補正対象音声の平均パワーの値と前記周辺騒音の平均パワーの値とに基づいて、前記スピーカから出力される前記補正対象音声の音圧レベルを補正する音声補正手段と、
を備えることを特徴とする音声補正装置。
【請求項１１】
請求項９または１０において、
前記フィルタ初期設定手段によって設定される初期値は、車両の統計的な販売台数に基づいて設定された代表車種に対応するフィルタ係数値であることを特徴とする音声補正装置。
【請求項１２】
請求項９または１０において、
前記フィルタ初期設定手段によって設定される初期値は、典型的な複数の車種のそれぞれに対応するフィルタ係数値の中から選択されたフィルタ係数値であることを特徴とする音声補正装置。
【請求項１３】
請求項９または１０において、
前記フィルタ初期設定手段によって設定される初期値は、自装置外部から取得された搭載車種に対応するフィルタ係数値であることを特徴とする音声補正装置。
【請求項１４】
請求項１〜１３のいずれかにおいて、
前記音声補正手段は、複数に分割された周波数帯域のそれぞれ毎に、前記音圧レベルの補正を行うことを特徴とする音声補正装置。
【請求項１５】
請求項１４において、
前記音声補正手段は、前記複数の分割された周波数帯域のそれぞれに対応させて、周辺騒音の音圧レベルと前記スピーカから出力される音声の聴感上の希望音圧レベルとを指定したときに、対応する補正ゲインを求めるゲインテーブルを有し、このゲインテーブルを参照することで音圧レベルの補正を行うことを特徴とする音声補正装置。
【発明の詳細な説明】
【技術分野】
【０００１】
本発明は、車載用ナビゲーション装置から出力される案内音声等の信号レベルを周囲の騒音等に応じて補正する音声補正装置に関する。
【背景技術】
【０００２】
一般に、車載のナビゲーション装置から出力される案内音声は、カーオーディオ装置の出力音声やエンジン騒音等の音圧レベルによっては聞き取りにくくなる。案内音声の出力時にオーディオ装置の出力音量を小さくすることにより、案内音声の内容を聞き取りやすくする方法が考えられるが、これでは、案内音声が頻繁に出力される場合にその都度オーディオ装置の出力音量が小さくなって、違和感を感じることになる。また、エンジン騒音等の制御不可能な音源に対してはこのような対策をとることができない。そこで、オーディオ装置の出力音量等を低下させることなく案内音声の内容を聞き取ることができれば便利であり、このような要請に応えるものとして、聴覚理論に基づいたラウドネス補償技術を用いた音声補正装置が従来から知られている（例えば、特許文献１参照。）。この音声補正装置では、聴取位置にマイクロホンを設置して、この聴取位置での騒音レベルに応じて出力音声に対するゲイン補正を行っており、利用者は、騒音レベルが変化しても常に音声の内容を明瞭に聞き取ることができるようになる。
【特許文献１】特開平１１−１６６８３５号公報（第３−７頁、図１−１０）
【発明の開示】
【発明が解決しようとする課題】
【０００３】
ところで、上述した特許文献１に開示された音声補正装置では、ナビゲーション装置の案内音声と、オーディオ装置の出力音声等の周囲騒音のそれぞれの音圧レベルを検出して、案内音声を増幅するゲインを決定しているが、実際の音圧レベルの検出は、ゲインを決定する直前の案内音声と周囲騒音のそれぞれのパワーを所定時間にわたって平均化することにより行っている。このため、案内音声の冒頭部では、案内音声の音圧レベルが所定時間で平均化されてしまい、実際の音圧レベルよりも小さな値に誤検出され、この冒頭部の音圧レベルが過大補正されてしまうという問題があった。
【０００４】
図１５は、音声の冒頭部の過大補正の例を示す図である。図１５（Ａ）には補正対象となる案内音声の波形が示されている。また、図１５（Ｂ）には特許文献１に開示された従来の音声補正装置を用いてゲイン補正を行った後の案内音声の波形が示されている。このように、案内音声の冒頭部において過大補正が行われ、パルス状の波形が現れる。
【０００５】
また、上述した特許文献１に開示されてた音声補正装置では、適応フィルタを用いてマイクロホン位置での案内音声の推定を行っている。通常、適応フィルタの各フィルタ係数は電源投入直後の初期状態では０に設定されており、その後この値が更新される。この初期状態あるいはその直後においては、この適応フィルタを用いて推定された案内音声のパワーは実際よりもかなり小さくなってしまい、初期状態のフィルタ係数に対応する冒頭部の音圧レベルが過大補正されてしまうという問題があった。
【０００６】
本発明は、このような点に鑑みて創作されたものであり、その目的は、補正対象音声の冒頭部の過大補正を防止することができる音声補正装置を提供することにある。
【課題を解決するための手段】
【０００７】
上述した課題を解決するために、本発明の音声補正装置は、補正対象音声を出力するスピーカと、聴取位置に設置されたマイクロホンと、聴取位置に対応する補正対象音声と周辺騒音を分離する信号分離手段と、信号分離手段によって分離された補正対象音声の平均パワーの値と周辺騒音の平均パワーの値とに基づいて、スピーカから出力される補正対象音声の音圧レベルを補正する音声補正手段と、補正対象音声が無音状態から有音状態に変化した音声冒頭部に対応する補正対象音声の平均パワーの値を補正する音声冒頭部補正手段とを備えている。補正対象音声の冒頭部に対応して算出される平均パワーの値を調整することにより、調整前の平均パワーの算出値をそのまま用いたときに発生する補正対象音声の冒頭部の過大補正を防止することが可能になる。
【０００８】
また、上述した補正対象音声の平均パワーの値を算出する時間長Ｌｓは、周辺騒音の平均パワーの値を算出する時間長Ｌｎよりも長いことが望ましい。このような関係にあるときに、補正対象音声の冒頭部のパワーが無音部分を含んで平均化され、実際値よりも小さく評価される現象が顕著になる。このため、このような関係にある場合に、平均パワーの値を調整することで、補正対象音声の冒頭部の過大補正をさらに有効に防止することが可能になる。
【０００９】
また、上述した音声冒頭部補正手段は、音声冒頭部に対応して無音状態から有音状態に変化した直後の時間Ｌｎについては、補正対象音声の平均パワーの値をＬｓ／Ｌｎ倍することが望ましい。これにより、補正対象音声と周辺騒音のそれぞれの平均パワー算出の対象となる期間の差によって生じる誤差分を補正することが可能になる。
【００１０】
また、上述した音声冒頭部補正手段は、音声冒頭部に対応して無音状態から有音状態に変化した時点を基準にして時間Ｌｎが経過してから時間Ｌｓが経過するまでは、補正対象音声の平均パワーの値の補正量を連続的に減少させることが望ましい。これにより、補正対象音声の平均パワーの補正の有無の境界部分における補正対象音声の不自然なつながりを回避することが可能になる。
【００１１】
また、本発明の音声補正装置は、補正対象音声を出力するスピーカと、聴取位置に設置されたマイクロホンと、聴取位置に対応する補正対象音声と周辺騒音を分離する信号分離手段と、信号分離手段によって分離された補正対象音声の平均パワーの値と周辺騒音の平均パワーの値とに基づいて、スピーカから出力される補正対象音声の音圧レベルを補正する音声補正手段と、補正対象音声が無音状態から有音状態に変化した音声冒頭部に対応して行われる音声補正手段による音声レベルの補正処理を停止する音声冒頭部補正手段とを備えている。補正対象音声の冒頭部について音圧レベルの補正を停止することにより、この冒頭部において発生していた補正対象音声の過大補正そのものを防止することが可能になる。
【００１２】
また、上述した補正対象音声の平均パワーの値を算出する時間長Ｌｓは、周辺騒音の平均パワーの値を算出する時間長Ｌｎよりも長いことが望ましい。このような関係にあるときに、補正対象音声の冒頭部のパワーが無音部分を含んで平均化され、実際値よりも小さく評価される現象が顕著になる。このため、このような関係にある場合に、補正対象音声の冒頭部の補正を行わないようにすることで、この冒頭部の過大補正をさらに有効に防止することが可能になる。
【００１３】
また、上述した信号分離手段は、スピーカからマイクロホンまでの音響系のインパルス応答としての音響特性を有するフィルタと、スピーカから補正対象音声が出力されたときにマイクロホンから出力される信号から、補正対象音声に対応してスピーカに入力される信号をフィルタに通した後の信号を差し引く演算手段とを備え、フィルタから補正対象音声に相当する信号を出力し、演算手段から周辺騒音に相当する信号を出力することが望ましい。これにより、補正対象音声と周辺騒音のそれぞれの平均パワーの値を別々に算出することが可能になり、ラウドネス補償技術を用いた補正対象音声の音圧レベルの補正が可能になる。
【００１４】
また、上述したフィルタの音響特性を同定する同定手段をさらに備えることが望ましい。これにより、スピーカの設置位置や補正対象音声の聴取位置が変更された場合に、その都度変更後の状態に応じた最適な音響特性を同定してフィルタの設定を行うことが可能になる。
【００１５】
また、上述した同定手段は、演算手段から出力される信号のパワーが最小になるようにフィルタのフィルタ係数を更新する係数更新手段であり、係数更新手段によって更新されるフィルタ係数の初期値を０以外の値に設定するフィルタ初期設定手段をさらに備えることが望ましい。これにより、フィルタの初期状態においてフィルタ係数が０から徐々に更新されてその値がある程度の大きさになるまでの間に補正対象音声の平均パワーが過小に評価されてしまうことがなくなるので、補正対象音声の冒頭部の音圧レベルの過大補正を防止することができる。
【００１６】
また、本発明の音声補正装置は、補正対象音声を出力するスピーカと、聴取位置に設置されたマイクロホンと、スピーカからマイクロホンまでの音響系のインパルス応答としての音響特性を有するフィルタと、スピーカから補正対象音声が出力されたときにマイクロホンから出力される信号から補正対象音声に対応してスピーカに入力される信号をフィルタに通した後の信号を差し引く演算手段とを有してフィルタから補正対象音声に相当する信号を出力するとともに演算手段から周辺騒音に相当する信号を出力して聴取位置に対応する補正対象音声と周辺騒音を分離する信号分離手段と、演算手段から出力される信号のパワーが最小になるようにフィルタのフィルタ係数を更新する係数更新手段と、係数更新手段によって更新されるフィルタ係数の初期値を０以外の値に設定するフィルタ初期設定手段と、信号分離手段によって分離された補正対象音声の平均パワーの値と周辺騒音の平均パワーの値とに基づいて、スピーカから出力される補正対象音声の音圧レベルを補正する音声補正手段とを備えている。フィルタ係数の初期値として０以外の値を用いることにより、フィルタから出力される信号の平均パワーが初期状態から０よりも大きな所定値を有することになるため、補正対象音声の平均パワーの算出結果が０から徐々に大きくなることを防止することができ、初期状態に対応する補正対象音声の冒頭部の音圧レベルの過大補正を防止することができる。
【００１７】
また、上述したフィルタ初期設定手段によって設定される初期値は、車両の統計的な販売台数に基づいて設定された代表車種に対応するフィルタ係数値であることが望ましい。これにより、理想的なフィルタ係数値に近い初期値設定を行うことができる可能性を高めることができる。
【００１８】
また、上述したフィルタ初期設定手段によって設定される初期値は、典型的な複数の車種のそれぞれに対応するフィルタ係数値の中から選択されたフィルタ係数値であることが望ましい。あるいは、上述したフィルタ初期設定手段によって設定される初期値は、自装置外部から取得された搭載車種に対応するフィルタ係数値であることが望ましい。これにより、理想的なフィルタ係数値に近い初期値設定を容易に行うことが可能となる。
【００１９】
また、上述した音声補正手段は、複数に分割された周波数帯域のそれぞれ毎に、音圧レベルの補正を行うことが望ましい。これにより、周波数帯域毎に適した音声補正を行うことが可能になり、さらに出力音声の内容を明瞭に聞き取ることが可能になる。
【００２０】
また、上述した音声補正手段は、複数の分割された周波数帯域のそれぞれに対応させて、周辺騒音の音圧レベルとスピーカから出力される音声の聴感上の希望音圧レベルとを指定したときに、対応する補正ゲインを求めるゲインテーブルを有し、このゲインテーブルを参照することで音圧レベルの補正を行うことが望ましい。これにより、周波数帯域毎の音圧レベルの補正値を算出する処理が容易となる。
【発明を実施するための最良の形態】
【００２１】
以下、本発明を適用した一実施形態の音声補正装置について、図面を参照しながら詳細に説明する。
【００２２】
〔第１の実施形態〕
図１は、第１の実施形態の音声補正装置の全体構成を示す図である。図１に示すように、本実施形態の音声補正装置１００は、音声補正用フィルタ２０、ラウドネス補償ゲイン算出部３０、適応フィルタ（ＡＤＦ）４０、演算部５０、アンプ６０、スピーカ６２、マイクロホン６４、音声冒頭部補正部９０を含んで構成されている。この音声補正装置１００は、車両に搭載されており、ナビゲーション装置（図示せず）から出力される案内音声信号が入力され、ゲイン補正を行った後の案内音声がスピーカ６２から出力される。
【００２３】
音声補正用フィルタ２０は、入力される案内音声信号に対してゲイン調整を行う。ラウドネス補償ゲイン算出部３０は、スピーカ６２から出力されてナビゲーション装置の利用者によって聴取される案内音声の明瞭さが周辺騒音に無関係にほぼ一定となるように、音声補正用フィルタ２０のゲインを設定する。本実施形態の音声補正装置１００を用いることにより、利用者は、聴取位置において案内音声を聴感上同じ明瞭さで聞くことができる。
【００２４】
適応フィルタ４０は、同定されたスピーカ６２からマイクロホン６４までの音響系のインパルス応答に対応する音響特性Ｃ１が設定されたフィルタである。スピーカ６２に入力される音声信号をこの適応フィルタ４０に通すことにより、スピーカ６２から出力されてマイクロホン６４に到達するまでの音声のインパルス応答を再現することができる。
【００２５】
アンプ６０は、音声補正用フィルタ２０から出力される音声信号を増幅し、スピーカ６２を駆動する。マイクロホン６４は、案内音声の聴取位置、例えば車両の運転者を利用者と考えた場合には運転者の頭部近傍に設定されており、スピーカ６２から車室内に出力される案内音声や周辺騒音を集音する。
【００２６】
適応フィルタ４０は、音響特性設定部４１と係数更新部４２とを有している。適応フィルタ４０は、スピーカ６２からマイクロホン６４までの音響特性Ｃ１を同定するためのものである。音響特性設定部４１のフィルタ係数は、係数更新部４２において、例えばＬＭＳ（Least Mean Square）アルゴリズムを用いて決定される。
【００２７】
演算部５０は、マイクロホン６４から出力される信号から、適応フィルタ４０を通した後の信号を差し引いた誤差を出力する。音声補正用フィルタ２０から出力された案内音声信号は、適応フィルタ４０に入力されるとともに、アンプ６０を通した後にスピーカ６２から出力されてマイクロホン６４に到達する。したがって、演算部５０から出力される誤差のパワーが最小になるように適応フィルタ４０のフィルタ係数Ｃ１を係数更新部４２によって決定（更新）することにより、このフィルタ係数Ｃ１をスピーカ６２からマイクロホン６４までの音響系のインパルス応答に一致させることができる。
【００２８】
音声冒頭部補正部９０は、案内音声のパワーを算出する際に冒頭部について所定の補正係数αを用いた補正を行う。この補正を行うことにより、パワーの算出結果が実際の値よりも小さくなることを防止している。
【００２９】
音響特性設定部４０、演算部５０が信号分離手段に、音声補正用フィルタ２０、ラウドネス補償ゲイン算出部３０が音声補正手段に、音声冒頭部補正部９０が音声冒頭部補正手段に、演算部５０が演算手段に、適応フィルタ４０が同定手段、係数更新手段にそれぞれ対応する。
【００３０】
本実施形態の音声補正装置はこのような構成を有しており、次にその動作を説明する。
【００３１】
（１）音声補正の原理
まず最初に、本実施形態においてナビゲーション装置の案内音声のゲインを補正する原理について説明する。
【００３２】
図２は、物理的な音圧レベルと、その音を人間が聞いたときに感じる音の大きさ（ラウドネス）との対応関係（ラウドネス曲線）を示す図である。図２において、横軸は音圧レベル（単位：ｄＢ−ＳＰＬ）、縦軸は人間が感じる音の大きさを示すラウドネス（単位：ｓｏｎｅ）であり、曲線Ａは静寂下でのラウドネス曲線、曲線Ｂは騒音下でのラウドネス曲線である。但し、曲線Ｂは騒音レベルに応じて変化するものである。
【００３３】
図２において、ラウドネスの値が同じであれば、人間は同じ大きさの音であると感じるということである。したがって、例えば、人間が０．１ｓｏｎｅの大きさに感じる音は、静寂下では約１２ｄＢ−ＳＰＬの音圧レベルの音であるが、曲線Ｂの騒音下では約３７ｄＢ−ＳＰＬの音圧レベルの音である。換言すると、静寂下で約１２ｄＢ−ＳＰＬで出力していた音を曲線Ｂの騒音下で同じ大きさに感じるためには、約３７ｄＢ−ＳＰＬの音を出力する必要がある。つまり、曲線Ｂの騒音下では約２５ｄＢのゲインを加える必要があるということである。また、人間が１ｓｏｎｅの大きさに感じる音は、静寂下では約４２ｄＢ−ＳＰＬの音圧レベルの音であるが、曲線Ｂの騒音下では約４９ｄＢ−ＳＰＬの音圧レベルの音であるため、騒音下では約７ｄＢのゲインを加えてやる必要がある。したがって、同じ騒音下であっても、出力される音の音圧レベルに応じて加えるゲインを変更する必要があるということである。
【００３４】
図２は、騒音下において静寂下と同じ大きさの音に感じるために、静寂下の音圧レベルに対してどれだけゲインを加える必要があるかを示す図である。同図において、横軸は静寂下で出力される音の音圧レベルであり、縦軸は騒音下において静寂下と同じ大きさの音に感じるために加える必要があるゲイン値である。例えば、静寂下で音圧レベル２０ｄＢで出力される音は、騒音下では、約１９ｄＢのゲインを加えられることによって、人間は静寂下と同じ大きさの音であると感じるようになる。
【００３５】
ラウドネス補償ゲイン算出部３０は、あらかじめ様々な騒音レベルにおける図３に示すような案内音声の音圧レベルと加えるゲインとの関係（以下、ゲインテーブルと呼ぶ）を内部のメモリに格納しており、演算部５０から出力される騒音信号に基づいて、最適なゲインテーブルを選択し、この選択したゲインテーブルと音響特性設定部４０から出力される音声信号とに基づいて、最適なゲインを算出する。ラウドネス補償ゲイン算出部３０は、この算出されたゲインとなるように音声補正用フィルタ２０のフィルタ係数を設定する。
【００３６】
ところで、一般に案内音声は、様々な周波数成分を有しており、その周波数成分ごとに音圧レベルが異なっている。したがって、案内音声の聴き取りにくさも案内音声信号や騒音信号の各周波数成分の音圧レベルによって異なるという不均衡が生じる。また、騒音信号の各周波数成分はそれらの高周波成分の案内音声信号に対してもマスキング効果を及ぼすため、このことも考慮する必要がある。
【００３７】
そこで、案内音声信号の各周波数成分ごとに最適なゲインを設定することが望ましい。すなわち、案内音声信号と騒音信号のそれぞれを所定の周波数帯域に分割して、各周波数帯域ごとに騒音信号の周波数成分に基づいて最適なゲインテーブルを選択し、この選択したゲインテーブルと案内音声信号の周波数成分とに基づいて最適なゲインを算出するようにすることが望ましい。
【００３８】
（２）音声補正装置の動作
ナビゲーション装置から出力された案内音声信号は、音声補正用フィルタ２０を介してアンプ６０に入力され、スピーカ６２から出力される。マイクロホン６４は、この案内音声とともにオーディオ装置（図示せず）から出力されるオーディオ音声やエンジン騒音等の周辺騒音を集音し、これらが合成された音声信号を演算部５０に向けて出力する。演算部５０には、マイクロホン６４から出力される音声信号の他に、スピーカ６２からマイクロホン６４までの音響特性Ｃ１が設定された音響特性設定部４０を経由した案内音声信号が入力されており、これらの差分としての周辺騒音信号が抽出され、ラウドネス補償ゲイン算出部３０に入力される。また、この音響特性設定部４０から出力される案内音声信号は、音声冒頭部補正部９０を介してラウドネス補償ゲイン算出部３０に入力される。
【００３９】
ラウドネス補償ゲイン算出部３０は、演算部５０から入力される周辺騒音信号の音圧レベルに基づいて、音響特性設定部４０から入力される聴取位置（マイクロホン６４の設置位置）での案内音声信号の音圧レベルが所定値となるように音声補正用フィルタ２０のゲイン設定を行う。
【００４０】
（３）音声冒頭部補正部の動作
次に、音声冒頭部補正部９０によって行われる案内音声の冒頭部の音圧レベルを補正する動作について説明する。
【００４１】
図４は、音声冒頭部補正部９０によって案内音声の冒頭部の平均パワー算出値に対して補正を行う動作手順を示す流れ図である。まず、音声冒頭部補正部９０は、案内音声の平均パワーを算出する（ステップ１００）。この算出処理は、所定のサンプリング間隔で音響特性設定部４０から出力される各案内音声信号毎に行われるが、計算量を削減するために、サンプリング間隔よりも長い一定時間間隔で行うようにしてもよい。また、この平均パワーの算出は、所定の窓長（時間長）Ｌｓを用いて行われる。すなわち、所定の窓長Ｌｓに相当する時間の間得られる案内音声信号のパワーを平均することにより、案内音声の平均パワーの算出が行われる。
【００４２】
次に、音声冒頭部補正部９０は、直前の案内音声の平均パワーの算出値に基づいて、案内音声は直前まで無音状態が続いたか否かを判定する（ステップ１０１）。直前まで無音状態が続いていた場合には肯定判断が行われ、カウンタと補正係数αが初期化される（ステップ１０２）。ここで、カウンタとは、案内音声の冒頭部を検出してから（無音部分から有音部分に変化してから）案内音声の平均パワー算出のための窓長Ｌｓ分の時間経過をカウントするためのものであり、ステップ１０２においてカウンタのカウント値が０に初期化される。また、補正係数αとは、案内音声の平均パワーが実際よりも小さな値に計算されることを補正するための係数であり、カウンタのカウント値に対応して値が変更される。
【００４３】
カウンタと補正係数αの初期化が終了した後、あるいは、直前の案内音声の平均パワーが０でない場合であってステップ１０１の判定において否定判断が行われた場合には、音声冒頭部補正部９０は、カウンタのカウント値が案内音声の窓長Ｌｓに相当する値に達したか否かを判定する（ステップ１０３）。達していない場合には否定判断が行われ、案内音声の平均パワー算出値がα倍された後（ステップ１０４）、カウンタのカウント値と補正係数αの値が更新される（ステップ１０５）。
【００４４】
例えば、カウント値をｋ、騒音の平均パワーを算出する際の窓長（時間長）をＬｎとしたときに、補正係数αの値の更新とカウント値ｋの更新は以下の式を用いて行われる。
【００４５】
α＝Ｌｓ／Ｌｎ                                  （ｋ≦Ｌｎ）
＝−ｋ／Ｌｎ＋（Ｌｎ＋Ｌｓ）／Ｌｎ            （Ｌｎ＜ｋ≦Ｌｓ）
＝１                                          （Ｌｓ＜ｋ）
ｋ＝ｋ＋１
次に、案内音声の平均パワーの算出値が補正係数αを用いて補正された後、この補正された値を用いてラウドネス補償ゲイン算出部３０によって音声補正用フィルタ２０のゲイン値が算出される（ステップ１０６）。このようにして算出されたゲイン値が案内音声に加算され、補正された案内音声が出力される（ステップ１０７）。
【００４６】
なお、カウンタのカウント値が案内音声の窓長Ｌｓに相当する値に達した場合にはステップ１０３の判定において肯定判断が行われ、案内音声の平均パワーの補正処理は行われずに、ラウドネス補償ゲイン算出部３０によるゲイン値の算出が行われる（ステップ１０６）。
【００４７】
このように、案内音声の冒頭部のみが平均パワー算出の窓長Ｌｓに含まれる場合に、この冒頭部のみを用いて算出された平均パワーの算出値に補正係数αを掛けて補正が行われるため、案内音声の平均パワー算出値が実際の値よりも極端に小さくなることがないため、案内音声の冒頭部の過大補正を防止することができる。
【００４８】
図５は、案内音声の冒頭部補正の説明図である。図５において、横軸は時間軸であり、時刻ｔ０から案内音声が始まり、それ以前から所定の音圧レベル（平均パワー）の周辺騒音が発生しているものとする。
【００４９】
時刻ｔ０に達するまでは、案内音声が無音状態であるため、ステップ１０１の判定において肯定判断が行われ、カウンタのカウント値と補正係数αの値がともに０に初期化される。
【００５０】
時刻ｔ０に達した後、周辺騒音の平均パワー算出の窓長Ｌｎに相当する時間が経過するまで（時刻ｔ１に達するまで）は、補正係数αはＬｓ／Ｌｎに設定される。例えば、図４に示す例ではＬｓ／Ｌｎ＝２に設定されており、補正係数αが２に設定される。したがって、この間の案内音声の平均パワー算出値を２倍に補正する処理が行われ、この補正後の平均パワーがラウドネス補償ゲイン算出部３０に送られる。
【００５１】
時刻ｔ１に達した後、時刻ｔ０から案内音声の平均パワー算出の窓長Ｌｓに相当する時間が経過するまで（時刻ｔ２に達するまで）は、補正係数αは（−ｋ／Ｌｎ＋（Ｌｎ＋Ｌｓ）／Ｌｎ）で計算される値、すなわち、時刻ｔ１から時刻ｔ２に向かうに従って−２から−１に直線補間で直線的に減少する値に設定される。
【００５２】
時刻ｔ２に達した後は、補正係数αは１に設定される。このため、補正係数αによる補正が行われない案内音声信号そのものがラウドネス補償ゲイン算出部３０に入力される。
【００５３】
図６は、本実施形態の音声補正装置１００を用いて案内音声の補正を行った結果を示す図であり、図１５（Ａ）に示した波形の案内音声に対して補正を行った場合の結果が示されている。
【００５４】
図１５（Ａ）に示す補正前の案内音声と、図１５（Ｂ）に示した従来手法による補正後の案内音声と比べると明らかなように、本実施形態の音声補正装置１００を用いることにより、案内音声の冒頭部の過大補正が大幅に改善されていることがわかる。
【００５５】
（４）その他の構成
次に、ラウドネス補償ゲイン算出部３０と音声補正用フィルタ２０の一般的な構成について説明する。
【００５６】
（４−１）ラウドネス補償ゲイン算出部３０の詳細構成
図７は、ラウドネス補償ゲイン算出部３０の構成を示す図である。図７に示すように、ラウドネス補償ゲイン算出部３０は、周波数帯域レベル平均部３１、ラウドネス算出部３４、周波数帯域ゲインテーブル選択部３５、周波数帯域レベル平均部３６、ゲインテーブル３９を含んで構成されている。
【００５７】
周波数帯域レベル平均部３１は、演算部５０から出力される周辺騒音信号に対して、所定の時間ブロックごとに周知のＦＦＴ（Fast Fourier Transform）演算を行い、所定の周波数帯域ごとに音圧レベルの平均を計算する。周辺騒音等は、例えば人間の聴覚がほぼ１／３オクターブごとに音の大きさの違いを認識することができるという特性を考慮して１／３オクターブごとに周波数分割される。
【００５８】
ラウドネス算出部３４は、周知のＺｗｉｃｋｅｒのラウドネス算出手法（ISO 532B）やＳｔｅｖｅｎｓのラウドネス算出手法（ISO 532A）を用いて、周波数帯域レベル平均部３１から周波数帯域ごとに出力される周辺騒音信号の音圧レベルを調整する。具体的には、以下のように調整を行う。すなわち、ある周波数成分の周辺騒音があるとき、この周辺騒音は、同一の周波数成分の案内音声信号の聴き取りにくさに影響するのみならず、上述したように高周波側に隣接する周波数成分の案内音声信号の聴き取りにくさにも影響を与える。ラウドネス算出部３４は、これを考慮して、周辺騒音の各周波数成分の音圧レベルを低周波側に隣接する周辺騒音の周波数成分の音圧レベルの大きさに応じて調整を行う。すなわち、隣接する低周波成分の音圧レベルが大きい場合には、高周波側に隣接する周波数成分の音圧レベルを高めに補正する。このような調整を行うことで、各周波数帯域ごとのゲインテーブルを選択する際には、対応する各周波数帯域の周辺騒音の音圧レベルに着目するのみで足り、低周波側に隣接する周波数帯域の周辺騒音を考慮するという煩雑な処理を行う必要がなくなる。
【００５９】
周波数帯域ゲインテーブル選択部３５は、ラウドネス算出部３４から出力される調整後の周波数帯域ごとの周辺騒音の音圧レベルに基づいて、周波数帯域ごとに最適なゲインテーブル３９を選択する。
【００６０】
周波数帯域レベル平均部３６は、音響特性設定部４０から出力される案内音声信号に対して、短時間のブロックごとに周知のＦＦＴ演算を行い、所定の周波数帯域ごとに音圧レベルの平均を計算する。案内音声信号は、周辺騒音と同様の周波数帯域に分割される。周波数帯域レベル平均部３６から出力される周波数帯域ごとに分割された案内音声信号は、周波数帯域ゲインテーブル選択部３５によって選択されたゲインテーブル３９に入力され、各周波数帯域ごとに適切なゲイン値が算出される。
【００６１】
このように、周辺騒音信号や案内音声信号を所定の周波数帯域に分割することによって、各周波数帯域ごとにゲインテーブルを選択して案内音声信号に最適なゲインを加えることが可能となる。
【００６２】
上述したラウドネス補償ゲイン算出部３０では、周波数帯域レベル平均部３１および３６を用いて案内音声信号や周辺騒音信号の周波数帯域ごとの音圧レベルの平均を求めたが、これらの周波数帯域レベル平均部の代わりにフィルタバンクとブロック平均部を用いて周波数帯域ごとの音圧レベルの平均を求めるようにしてもよい。
【００６３】
図８は、ラウドネス補償ゲイン算出部の変形例の構成を示す図である。図８に示すラウドネス補償ゲイン算出部３０Ａは、フィルタバンク３２、ブロック平均部３３、ラウドネス算出部３４、周波数帯域ゲインテーブル選択部３５、フィルタバンク３７、ブロック平均部３８、ゲインテーブル３９を含んで構成されている。
【００６４】
フィルタバンク３２は、所定の周波数帯域幅を持つバンドパスフィルタ群であり、これらのバンドパスフィルタ群によって演算部５０から出力される周辺騒音信号を所定の周波数帯域ごとに分割する。ブロック平均部３３は、フィルタバンク３２から出力される周波数帯域ごとに分割された周辺騒音の音圧レベルを所定の時間ブロックごとに平均して、ラウドネス算出部３４に出力する。
【００６５】
フィルタバンク３７は、フィルタバンク３２と同様に所定の周波数帯域幅を持つバンドパスフィルタ群であり、これらのバンドパスフィルタ群によって音響特性設定部４０から出力される案内音声信号を所定の周波数帯域ごとに分割する。ブロック平均部３８は、フィルタバンク３７から出力される周波数帯域ごとに分割された案内音声信号の音圧レベルを所定の時間ブロックごとに平均して、平均の音圧レベルをゲインテーブル３９に出力する。
【００６６】
このように、フィルタバンクとブロック平均部を用いることによっても、周辺騒音信号や案内音声信号を所定の周波数帯域に分割することができ、各周波数帯域ごとにゲインテーブルを選択して案内音声信号に最適なゲインを加えることが可能となる。
【００６７】
（４−２）音声補正用フィルタの詳細構成
音声補正用フィルタ２０は、上述したラウドネス補償ゲイン算出部３０で算出されたゲイン特性を修正（ゲインの加算）できるものであればよいため、様々な構成が考えられる。
【００６８】
図９は、フィルタバンクと可変ゲイン部を用いた音声補正用フィルタの具体的な構成例を示す図である。図９に示す音声補正用フィルタ２０は、フィルタバンク２１、可変ゲイン部２２、加算器２３を含んで構成されている。
【００６９】
フィルタバンク２１は、所定の周波数帯域幅を持つバンドパスフィルタ群であり、これらのバンドパスフィルタ群によって案内音声信号を周波数帯域ごとに分割する。可変ゲイン部２２は、ラウドネス補償ゲイン算出部３０によって算出された各周波数帯域ごとのゲインを、フィルタバンク２１から出力される周波数帯域ごとに分割された案内音声信号の音圧レベルに与えて、ゲイン調整を行う。加算器２３は、各周波数帯域ごとにゲイン調整された案内音声信号を足し合わせて出力して、所望のゲイン補正を実現する。この構成によれば、アナログ回路で安価に音声補正用フィルタ２０を構成することができる。
【００７０】
図９は、周波数サンプリングフィルタを用いた音声補正用フィルタの他の構成例を示す図である。図９に示す音声補正用フィルタ２０Ａは、スプライン関数補間部２４、ＩＦＦＴ演算部２５、ＦＩＲフィルタ２６を含んで構成されている。
【００７１】
スプライン関数補間部２４は、ラウドネス補償ゲイン算出部３０によって算出された各周波数帯域のゲインをそれぞれの周波数帯域の中心周波数のゲインとして、それぞれのゲイン値の間を周知のスプライン関数を用いて補間することによって周波数領域における滑らかなゲイン特性を得る。ＩＦＦＴ演算部２５は、スプライン関数補間部２４から出力されるゲイン特性を周知のＩＦＦＴ（Inverse Fast Fourier Transform）演算を用いて周波数領域から時間領域に変換し、ＦＩＲフィルタ２６のタップ係数の値を設定する。ＦＩＲフィルタ２６は、案内音声信号に対して時間軸上のフィルタリング処理を行い、所望のゲイン補正を実現する。この構成によれば、直線位相フィルタを実現することができ、案内音声信号に対する補正は、周波数帯域ごとではなく、周波数成分ごとに行うことが可能となる。
【００７２】
図１１は、周波数領域フィルタを用いた音声補正用フィルタの他の構成例を示す図である。図１１に示す音声補正用フィルタ２０Ｂは、スプライン関数補間部２７、ＦＦＴ演算部２８、周波数帯域フィルタリング部２９、ＩＦＦＴ演算部４３を含んで構成されている。
【００７３】
スプライン関数補間部２７は、ラウドネス補償ゲイン算出部３０によって算出された各周波数帯域のゲインをそれぞれの周波数帯域の中心周波数のゲインとして、それぞれのゲイン値の間を周知のスプライン関数を用いて補間することによって周波数領域における滑らかなゲイン特性を得る。ＦＦＴ演算部２８は、案内音声信号に対してＦＦＴ演算を行い、時間領域から周波数領域に変換する。周波数帯域フィルタリング部２９は、ＦＦＴ演算部２８から出力される周波数領域における案内音声信号に対して、スプライン関数補間部２７から出力される滑らかなゲイン特性によってフィルタリングを行い、ＩＦＦＴ演算部４３は、周波数帯域フィルタリング部２９から出力される周波数領域における案内音声信号に対してＩＦＦＴ演算を行って周波数領域から時間領域に変換し、所望のゲイン補正を実現する。ＩＦＦＴ演算の過程においては、線形フィルタリングを実現するために周知の重畳加算法（overlap-add method）や重畳保留法（overlap-save method ）を用いるとよい。この構成によって、フィルタのタップ数が多いときでも演算量を比較的少なくすることができる。
【００７４】
なお、上述した３通りの音声補正フィルタ２０、２０Ａ、２０Ｂにおいては、いずれの場合もゲインが急激に変化すると出力波形が不連続になってしまうため、
Ｇ（ｎ）＝αＧ（ｎ−１）＋βＧｍ
の関係式を用いて、ゲイン特性を徐々に更新することが好ましい。ここで、Ｇ（ｎ）は時間ｎにおけるゲイン特性、Ｇ（ｎ−１）は時間ｎ−１におけるゲイン特性、Ｇｍはラウドネス補償ゲイン算出部３０等やスプライン関数補間部２４、２７によって算出されたゲイン特性である。α、βは係数でα＋β＝１になる関係がある。
【００７５】
このように、本実施形態の音声補正装置１００を用いることにより、補正対象となる案内音声の冒頭部に対応して算出される平均パワーの値を調整することにより、調整前の平均パワーの算出値をそのまま用いたときに発生する案内音声の冒頭部の過大補正を防止することが可能になる。
【００７６】
特に、案内音声の平均パワーの値を算出する窓長（時間長）Ｌｓは、周辺騒音の平均パワーの値を算出する窓長（時間長）Ｌｎよりも長いときに、案内音声の冒頭部の過大補正が顕著となるが、本実施形態では、このような場合であっても案内音声の冒頭部の過大補正をさらに有効に防止することが可能になる。
【００７７】
また、音声冒頭部補正部９０は、音声冒頭部に対応して無音状態から有音状態に変化した直後の時間Ｌｎについては、案内音声の平均パワーの値をＬｓ／Ｌｎ倍しており、案内音声と周辺騒音のそれぞれの平均パワー算出の対象となる期間の差によって生じる誤差分を補正することが可能になる。
【００７８】
また、音声冒頭部補正部９０は、音声冒頭部に対応して無音状態から有音状態に変化した時点を基準にして時間Ｌｎが経過してから時間Ｌｓが経過するまでは、案内音声の平均パワーの値の補正量を連続的に減少させており、案内音声の平均パワーの補正の有無の境界部分における案内音声の不自然なつながりを回避することが可能になる。
【００７９】
なお、本発明は上記実施形態に限定されるものではなく、本発明の要旨の範囲内において種々の変形実施が可能である。上述した実施形態では、案内音声の冒頭部からこの案内音声の平均パワー算出の窓長Ｌｓに相当する時間が経過するまでは、補正係数αを１よりも大きな値に設定して、単純に算出した案内音声の平均パワーを大きな値に補正したが、この期間（あるいはこれよりも短い期間）は全くラウドネス補償技術による音圧レベルの補正処理を停止してゲイン加算を行わないようにしてもよい。
【００８０】
図１２は、案内音声の冒頭部に対応するゲイン加算を行わないようにした音声冒頭部補正部９０の動作手順を示す流れ図である。図４に示した流れ図に対して、ステップ１０６の位置が異なっている点と、ステップ１０２、１０４、１０５をそれぞれステップ１０２Ａ、１０４Ａ、１０５Ａに置き換えた点が異なっている。
【００８１】
音声冒頭部補正部９０は、従来通りにゲイン値が求められた後（ステップ１０６）、直前まで案内音声が無音状態の場合にはカウンタのカウント値を初期化する（ステップ１０２Ａ）。また、カウンタのカウント値ｋが案内音声の窓長Ｌｓに相当する時間に達していない場合にはステップ１０３の判定において否定判断が行わ、次に、音声冒頭部補正部９０は、ラウドネス補償ゲイン算出部３０によって決定されるゲイン値を０（ｄＢ）に設定した後（ステップ１０４Ａ）、カウンタのカウント値ｋを更新する（ステップ１０５Ａ）。このようにしてゲイン値が０に設定されている間は、案内音声のゲインを補正する処理は行われないため、案内音声の冒頭部の過大補正の発生を防止することができる。
【００８２】
また、上述した実施形態では、案内音声の冒頭部に達してから案内音声の平均パワー算出の窓長Ｌｓに相当する時間が経過するまでの間に、２段階にわけて補正係数αの値を設定したが、一律に１以上の固定値、例えば１．５や２を補正係数αの値として用いるようにしてもよい。これにより、案内音声の冒頭部の過大補正を防止することができるとともに、補正値αの設定手順の簡略化が可能になる。
【００８３】
また、上述した実施形態では、車載のナビゲーション装置から出力される案内音声のゲインを補正する場合を説明したが、車両内で出力されるそれ以外の音声のゲインを補正する場合や、車両以外の室内において出力されるテレビジョン装置の放送番組の音声のゲインを補正する場合等に本発明を適用してもよい。
【００８４】
また、上述した実施形態や以下に示す第２の実施形態、第３の実施形態では、補正対象音声として案内音声を考えたが、本明細書で用いた「補正対象音声」には、人間が発声する音声の他、同じあるいはこれよりも若干広い可聴範囲の周波数帯域に含まれる音（例えばオーディオ音）を広く含んでいる。したがって、案内音声の代わりにオーディオ音を補正対象音声として音声補正装置１００に入力することにより、周辺騒音レベルが変化してもオーディオ音の内容を明瞭に聞き取れるようにすることができる。
【００８５】
〔第２の実施形態〕
ところで、上述した適応フィルタ４０を構成する音響特性設定部４１はＦＩＲフィルタが用いられており、このＦＩＲフィルタの各フィルタ係数（タップ係数）は、電源投入直後の初期状態においてはそれらの値が０に設定されている。そして、最初の案内音声信号が入力された後に、これらの各フィルタ係数の値が０から順次０以外の値に更新される。したがって、この初期状態から各フィルタ係数の値がある程度の大きさに更新されるまでの間は、適応フィルタ４０から出力されるマイクロホン位置での推定された案内音声の音圧レベルは、実際の案内音声の音圧レベルに近づくように徐々に大きくなる。このため、初期状態にある適応フィルタ４０に入力される案内音声の冒頭部が過大に補正される。第２の実施形態の音声補正装置は、このような原因に基づく案内音声の冒頭部の過大補正を防止するものである。
【００８６】
図１３は、第２の実施形態の音声補正装置の全体構成を示す図である。図１３に示すように、本実施形態の音声補正装置１００Ａは、音声補正用フィルタ２０、ラウドネス補償ゲイン算出部３０、適応フィルタ４０、演算部５０、アンプ６０、スピーカ６２、マイクロホン６４、フィルタ初期設定部７０、音声冒頭部補正部９０を含んで構成されている。
【００８７】
この音声補正装置１００Ａは、図１に示した音声補正装置１００に対して、フィルタ初期設定部７０を追加するとともに、案内音声信号を音声補正用フィルタ２０を介さずに直接適応フィルタ４０に入力した点が異なっている。但し、適応フィルタ４０の接続を変更することにより、係数更新部４２によって更新される音響特性設定部４１のフィルタ係数が、音声補正用フィルタ２０のフィルタ特性を考慮した値に変更されるだけであり、適応フィルタ４０によってマイクロホン位置での案内音声の推定を行う動作については実質的に同じである。
【００８８】
フィルタ初期設定部７０は、電源投入直後（あるいはその後に適応フィルタ４０内の音響特性設定部４１の各フィルタ係数を初期化するリセット回路（図示せず）等においてはリセット動作が行われた直後）に、適応フィルタ４０内の音響特性設定部４１を構成するＦＩＲフィルタの各フィルタ係数を０以外の初期値に設定する処理を行う。フィルタ初期設定部７０がフィルタ初期設定手段に対応する。
【００８９】
各フィルタ係数の初期値としては、スピーカ６２からマイクロホン６４までの音響系のインパルス応答に対応する音響特性Ｃ１が既知であればこの値を設定することが望ましいが、この音響特性Ｃ１は、音声補正装置１００Ａが搭載された車両の形状やスピーカ６２の設置位置あるいは座席その他の搭載品の材質や形状等に応じて一定しない。このため、本実施形態では、フィルタ初期設定部７０は、電源投入直後の初期値として以下の（１）〜（３）のいずれかの値が採用されている。
【００９０】
（１）初期値として、車両の統計的な販売台数に基づいて設定された代表車種に対応するフィルタ係数値が用いられる。この代表車種とは、例えば、最近の統計から最も販売台数が多い車種の場合の他、上位から複数種類の車種を示す場合もある。複数種類の車種の場合には、これらの各車種についてあらかじめ実測して求めたフィルタ係数を平均化した値が用いられる。これにより、理想的なフィルタ係数値に近い初期値設定を行うことができる可能性を高めることができる。
【００９１】
（２）初期値として、典型的な複数の車種のそれぞれに対応するフィルタ係数値の中から選択されたフィルタ係数値が用いられる。例えば、フィルタ初期設定部７０の内部あるいは外部に複数車種のそれぞれについてあらかじめ実測して求めたフィルタ係数の値が保持されており、この音声補正装置１００Ａが搭載された車両の車種が指定された場合に、フィルタ初期設定部７０によって読み出された指定車種のフィルタ係数の値が用いられる。車種の指定する方法としては、いくつかの場合が考えられる。例えば、エンジン制御装置等の他の装置が車種情報を保持している場合にはこの車種情報を取得することにより車種の指定が行われる。また、車種設定用のディップスイッチ（あるいは同等の機能を有するスイッチ類）が備わっている場合に利用者自身がこのディップスイッチを操作してセダン、ミニバン等の車種の指定が行われる。あるいは、このような機械的な操作ではなく、フィルタ初期設定部７０（あるいはその他の制御部）によって所定の車種設定画面を作成して表示装置に表示し、この画面を見ながら利用者が操作部を操作することにより車種の指定が行われる。
【００９２】
（３）初期値として、自装置外部から取得された搭載車種に対応するフィルタ係数値が用いられる。音声補正装置１００Ａが搭載された車両の車種に適した典型的なフィルタ係数の値を自装置（音声補正装置１００Ａ）の外部から取得可能な場合にはそのフィルタ係数の値が用いられる。例えば、メモリカード等の着脱可能な記録媒体が装着されてそれに格納されたフィルタ係数の値をフィルタ初期設定部７０によって読み出すことにより、最適なフィルタ係数の値が取得される。また、インターネット等の通信媒体を介して所定のサーバとの間で通信を行うことにより、フィルタ初期設定部７０によって最適なフィルタ係数の値が取得される。（２）、（３）に示す手法で初期値設定を行うことにより、理想的なフィルタ係数値に近い初期値設定を容易に行うことが可能となる。
【００９３】
〔第３の実施形態〕
図１４は、第３の実施形態の音声補正装置の全体構成を示す図である。図１４に示すように、本実施形態の音声補正装置１００Ｂは、音声補正用フィルタ２０、ラウドネス補償ゲイン算出部３０Ａ、適応フィルタ４０、演算部５０、アンプ６０、スピーカ６２、マイクロホン６４、フィルタ初期設定部７０を含んで構成されている。
【００９４】
図１３に示した音声補正装置１００Ａでは、図１に示した音声補正装置１００と同様に、案内音声の平均パワーを算出する窓長Ｌｓよりも騒音の平均パワーを算出する窓長Ｌｎの方が短いことによる影響を低減するために音声冒頭部補正部９０を備えるようにしたが、本実施形態の音声補正装置１００Ｂでは、ラウドネス補償ゲイン算出部３０Ａによってそれぞれの平均パワーを算出する窓長Ｌｓ、Ｌｎを等しく設定し、これに伴って音声冒頭部補正部９０を省略した構成を有している。
【００９５】
上述したフィルタ初期設定部７０によって行われるフィルタ係数の初期値設定による効果は音声冒頭部補正部９０の有無に関係なく有効であり、電源投入直後等の初期状態において案内音声信号が適応フィルタ４０に入力されたときに生じる過大補正を抑制することが可能になる。
【図面の簡単な説明】
【００９６】
【図１】第１の実施形態の音声補正装置の全体構成を示す図である。
【図２】物理的な音圧レベルと、その音を人間が聞いたときに感じる音の大きさ（ラウドネス）との対応関係（ラウドネス曲線）を示す図である。
【図３】騒音下において静寂下と同じ大きさの音に感じるために、静寂下の音圧レベルに対してどれだけゲインを加える必要があるかを示す図である。
【図４】音声冒頭部補正部によって案内音声の冒頭部の平均パワー算出値に対して補正を行う動作手順を示す流れ図である。
【図５】案内音声の冒頭部の説明図である。
【図６】本実施形態の音声補正装置を用いて案内音声の補正を行った結果を示す図である。
【図７】ラウドネス補償ゲイン算出部の構成を示す図である。
【図８】ラウドネス補償ゲイン算出部の変形例の構成を示す図である。
【図９】フィルタバンクと可変ゲイン部を用いた音声補正用フィルタの具体的な構成例を示す図である。
【図１０】周波数サンプリングフィルタを用いた音声補正用フィルタの他の構成例を示す図である。
【図１１】周波数領域フィルタを用いた音声補正用フィルタの他の構成例を示す図である。
【図１２】案内音声の冒頭部に対応するゲイン加算を行わないようにした音声冒頭部補正部の動作手順を示す流れ図である。
【図１３】第２の実施形態の音声補正装置の全体構成を示す図である。
【図１４】第３の実施形態の音声補正装置の全体構成を示す図である。
【図１５】音声の冒頭部の過大補正の例を示す図である。
【符号の説明】
【００９７】
２０  音声補正用フィルタ
３０、３０Ａ  ラウドネス補償ゲイン算出部
４０  適応フィルタ（ＡＤＦ）
４１  音響特性設定部
４２  係数更新部
５０  演算部
６０  アンプ
６２  スピーカ
６４  マイクロホン
９０  音声冒頭部補正部
１００  音声補正装置
【図１】
2005027273.tif 000003
【図２】
2005027273.tif 000004
【図３】
2005027273.tif 000005
【図４】
2005027273.tif 000006
【図５】
2005027273.tif 000007
【図６】
2005027273.tif 000008
【図７】
2005027273.tif 000009
【図８】
2005027273.tif 000010
【図９】
2005027273.tif 000011
【図１０】
2005027273.tif 000012
【図１１】
2005027273.tif 000013
【図１２】
2005027273.tif 000014
【図１３】
2005027273.tif 000015
【図１４】
2005027273.tif 000016
【図１５】
2005027273.tif 000017